(57)【要約】【課題】１つのユニットで単独照光パターンと連動照光パターンとを簡単な構成のもとに容易に設定する。【解決手段】ベース２に、固定接点５１を有する固定金具５を着脱自在に装着することが可能な一対の固定金具保持部２１と、照光ユニット３の一対の接触部３２に接続部材９を介して接触する接触片７２を有する一対の照光用端子金具７を着脱自在に装着することが可能な端子金具保持部２２とを設け、固定接点対の一方を構成する固定接点８１及び照光ユニット３の接触部３２の一方に接続部材９を介して接触する接触片８６とを有する接点兼用端子金具８を一対の固定金具保持部２１，２１の一方の固定金具保持部２１に着脱自在に装着できる構造とし、前記固定金具５、照光用端子金具７、接点兼用端子金具８を組み合わせることにより、単独照光及び連動照光パターンの双方を設定できるようにする。【選択図】図１０
2005149746.tif 000002
【特許請求の範囲】
【請求項１】
一対の固定接点と、この固定接点と対向する位置に配置された可動接点と、照光ユニットと、前記固定接点及び照光ユニットを保持するベースとを備え、前記可動接点の移動により前記一対の固定接点の電気的な接続／遮断を行う構造の接点ユニットにおいて、
前記ベースに、前記固定接点を有する一対の固定金具を着脱自在に装着することが可能な一対の固定金具保持部と、前記照光ユニットの一対の接触部に接続部材を介して接触する接触片を有する一対の照光用端子金具を着脱自在に装着することが可能な一対の端子金具保持部とが設けられているとともに、前記一対の固定金具保持部の少なくとも一方の固定金具保持部は、前記固定接点対の一方を構成する固定接点と前記照光ユニットの一対の接触部の一方に接続部材を介して接触する接触片とを有する接点兼用端子金具を着脱自在に装着することが可能であることを特徴とする接点ユニット。
【請求項２】
常開接点及び常閉接点と、可動コモン接点と、照光ユニットと、前記常開接点、常閉接点及び照光ユニットを保持するベースとを備え、前記可動コモン接点が前記常閉接点または常開接点のいずれか一方に選択的に接触する構造の接点ユニットにおいて、
前記ベースに、前記常開接点を有する固定金具及び常閉接点を有する固定金具を着脱自在に装着することが可能な複数の固定金具保持部と、前記照光ユニットの一対の接触部に接続部材を介して接触する接触片を有する一対の照光用端子金具を着脱自在に装着することが可能な一対の端子金具保持部とが設けられているとともに、前記複数の固定金具保持部のうち少なくとも１つの固定金具保持部は、常開接点または常閉接点のいずれか一方の接点と前記照光ユニットの一対の接触部の一方に接続部材を介して接触する接触片とを有する接点兼用端子金具を着脱自在に装着することが可能であることを特徴とする接点ユニット。
【発明の詳細な説明】
【技術分野】
【０００１】
本発明は、例えば、押ボタンスイッチ、非常停止スイッチ、セレクタスイッチなどの操作スイッチに用いられる接点ユニットに関し、さらに詳しくは、照光式の操作スイッチに適用される接点ユニットに関する。
【背景技術】
【０００２】
押ボタンスイッチ等の操作スイッチには、接点を有する接点ユニットと、接点ユニットの接点を開閉操作する操作部とが一体化された一体型の操作スイッチや、前記操作部と接点ユニットとを分離することが可能で、その分離した操作部を操作パネル等に取り付けた後、パネル裏面側において接点ユニットを操作部に連結・固定する構造の分離型の操作スイッチがある。
【０００３】
また、操作スイッチには非照光式と照光式のものがある。さらに、照光式の操作スイッチの照光パターンとしては、操作部の動作に関係なく外部入力により照光ユニットのランプを点灯する単独照光パターンと、操作部の動作（接点ユニットのＡ接点またはＢ接点の開閉動作）に応じてランプを点灯／消灯する連動照光パターンがある（例えば、特許文献１参照。）。
【特許文献１】実開平５−７９８２９号公報
【発明の開示】
【発明が解決しようとする課題】
【０００４】
ところで、接点ユニットにおいて、１つのユニットで単独照光パターンと連動照光パターンとを設定できるようにする方法として、例えば、（１）単独照光パターンの接点ユニットに別の接触構造を付加して連動照光機能を実現する方法、あるいは、（２）単独照光パターンの接点ユニットに対して外部配線（渡り配線）を行って連動照光機能を実現する方法などが挙げられる。しかしながら、（１）の方法では、ユニットが複雑かつ大型になってしまう。また、（２）の方法では、外部配線の作業をユーザーに依存しなければならいという問題がある。
【０００５】
本発明はそのような問題を解決するためになされたもので、特別な接触構造の付加やユーザーによる外部配線を要することなく、１つのユニットで単独照光パターン及び連動照光パターンの双方を簡単な構成のもとに容易に設定することが可能な接点ユニットの提供を目的とする。
【課題を解決するための手段】
【０００６】
本発明の接点ユニットは、一対の固定接点と、この固定接点と対向する位置に配置された可動接点（橋絡接点）と、照光ユニットと、前記固定接点及び照光ユニットを保持するベースとを備え、前記可動接点の移動により前記一対の固定接点の電気的な接続／遮断を行う構造の接点ユニットにおいて、前記ベースに、前記固定接点を有する一対の固定金具を着脱自在に装着することが可能な一対の固定金具保持部と、前記照光ユニットの一対の接触部（リード）に接続部材を介して接触する接触片を有する一対の照光用端子金具を着脱自在に装着することが可能な一対の端子金具保持部とが設けられているとともに、前記一対の固定金具保持部の少なくとも一方の固定金具保持部は、前記固定接点対の一方を構成する固定接点と前記照光ユニットの一対の接触部の一方に接続部材を介して接触する接触片とを有する接点兼用端子金具を着脱自在に装着することが可能であることを特徴としている。
【０００７】
この発明の接点ユニットにおいて、ベースに設けられた一対の固定金具保持部にそれぞれ固定接点を有する固定金具を装着し、一対の端子金具保持部にそれぞれ照光用端子を、接続部材及び接触片を介して照光ユニットの接触部に接続した状態で装着することにより、一対の固定接点の接続／遮断（Ａ接点またはＢ接点の開閉動作）に関係なく、外部入力により照光ユニットを点灯することができる（単独照光：図１３参照）。
【０００８】
一方、一対の固定金具保持部の一方に固定金具を装着し、他方に接点兼用端子金具を装着するとともに、一対の端子金具保持部のいずれか一方に照光用端子金具を装着すると、一方の固定金具保持部に装着した固定金具の固定接点及び他方の固定金具保持部に装着した接点兼用端子金具の固定接点と可動接点とによってＡ接点（またはＢ接点）が構成されるとともに、そのＡ接点（またはＢ接点）が照光ユニットの回路系に直列に組み込まれることになる（図１４参照）。従って、Ａ接点（またはＢ接点）の開閉動作に応じて照光ユニット（ランプ）が点灯／消灯するようになる（連動照光）。
【０００９】
このように、この発明の接点ユニットによれば、ベースに装着する金具の組み合わせを選択することにより、１つのベースで単独照光パターン及び連動照光パターンの双方の照光パターンを簡単に設定することができる。
【００１０】
本発明の接点ユニットは、常開接点及び常閉接点と、可動コモン接点と、照光ユニットと、前記常開接点、常閉接点及び照光ユニットを保持するベースとを備え、前記可動コモン接点が前記常閉接点または常開接点のいずれか一方に選択的に接触する構造の接点ユニットにおいて、前記ベースに、前記常開接点を有する固定金具及び常閉接点を有する固定金具を着脱自在に装着することが可能な複数の固定金具保持部と、前記照光ユニットの一対の接触部（リード）に接続部材を介して接触する接触片を有する一対の照光用端子金具を着脱自在に装着することが可能な一対の端子金具保持部とが設けられているとともに、前記複数の固定金具保持部のうち少なくとも１つの固定金具保持部は、常開接点または常閉接点のいずれか一方の接点と前記照光ユニットの一対の接触部の一方に接続部材を介して接触する接触片とを有する接点兼用端子金具を着脱自在に装着することが可能であることを特徴としている。
【００１１】
この発明の接点ユニットにおいて、ベースに設けられた複数（２つ）の固定金具保持部に、それぞれ、常開接点を有する固定金具と常閉接点を有する固定金具を装着し、一対の端子金具保持部にそれぞれ照光用端子を、接続部材及び接触片を介して照光ユニットの接触部に接続した状態で装着することにより、常開接点及び常閉接点と可動コモン接点とによってＣ接点が構成され、このＣ接点の動作に関係なく、外部入力により照光ユニットを点灯することができる（単独照光：図１５参照）。
【００１２】
一方、２つの固定金具保持部の一方に常開接点（または常閉接点）を有する固定金具を装着し、他方に常閉接点（または常開接点）を有する接点兼用端子金具を装着すると、一方の固定金具保持部に装着した固定金具の常開接点（または常閉接点）及び他方の固定金具保持部に装着した接点兼用端子金具の常閉接点（または常開接点）と可動コモン接点とによってＣ接点が構成されるとともに、そのＣ接点が照光ユニットの回路系に直列に組み込まれることになる（図１６参照）。従って、Ｃ接点の動作に応じて照光ユニット（ランプ）が点灯／消灯するようになる（連動照光）。
【００１３】
このように、この発明の接点ユニットによれば、ベースに装着する金具の組み合わせを選択することにより、１つのベースで単独照光パターン及び連動照光パターンの双方の照光パターンを簡単に設定することができる。
【発明の効果】
【００１４】
本発明の接点ユニットによれば、１つのベースに保持する固定金具等の組み合わせを選択するだけで、特別な接触構造の付加やユーザーによる外部配線を要することなく、単独照光パターンと連動照光パターンの双方の照光パターンを簡単に設定することができる。
【発明を実施するための最良の形態】
【００１５】
以下、本発明の実施形態を図面に基づいて説明する。
【００１６】
図１及び図２は本発明の接点ユニットを分離型の非常停止スイッチ（プッシュロックターンリセット式押ボタンスイッチ）に適用した例を示す分解斜視図である。
【００１７】
この例の非常停止スイッチは、操作部１０１と接点ユニット１とによって構成されている。
【００１８】
操作部１０１は、円筒形状の操作部本体１１０、操作部アクチュエータ１０２及び押ボタン１０３を備えている。操作部アクチュエータ１０２は、操作部本体１１０内に摺動自在に嵌め込まれている。操作部アクチュエータ１０２の前端に押ボタン１０３が設けられている。なお、操作部アクチュエータ１０２は、押ボタン１０３を押し操作したときに、連動して押し込まれ、ロックするようになっている。
【００１９】
操作部本体１１０には固定用段部１１１と雄ねじ部１１２が形成されており、固定用段部１１１にゴムワッシャ（図示せず）が設けられている。操作部１０１は、図示はしないが、操作パネルの取付孔にパネル表面側から挿入し、操作部本体１１０の固定用段部１１１（ゴムワッシャ）を操作パネルの表面に当接させた状態で、操作パネルの裏面側から締付ナット１０４を雄ねじ部１１２にねじ込んで締め付けることにより、操作パネルに固定される。
【００２０】
操作部１０１の雄ねじ部１１２の後方側には、円筒形状の連結部１２０が設けられている。連結部１２０の外周面にはロック溝１２１と、ロック凹部１２２が形成されている。
【００２１】
接点ユニット１は、連結部１０、ロック部材１２、操作部１０１の押ボタン１０３を照光するための照光ユニット３、後述する固定金具５，６、ランプ端子金具７及び接点兼用端子金具８などを保持するベース２、及び、ベース２の後カバー１３などを備えている。
【００２２】
接点ユニット１の連結部１０は、操作部１０１の連結部１２０を嵌め込むことが可能な円筒ケース１１及びベース２を保持する保持ケース２０によって構成されている。連結部１０にはロック部材１２が取り付けられている。連結部１０の円筒ケース１１内面には、操作部１０１のロック溝１２１に嵌り込むことが可能な係止凸部（図示せず）が設けられている。
【００２３】
ロック部材１２は、略リング状の部材で、操作部１０１のロック凹部１２２に嵌り込むことが可能な係止爪１２ａがロック凹部１２２に対応する位置関係で設けられている。
【００２４】
以上の操作部１０１と接点ユニット１との連結は、操作部１０１を操作パネル（図示せず）に取り付けた後、操作部１０１のロック凹部１２２の入口に、ロック部材１２の係止爪１２ａを合せるとともに、ロック溝１２１の入口に接点ユニット１の円筒ケース１１の係止突部を対向させた状態で、接点ユニット１を操作部１０１に嵌め込み、次いで接点ユニット１を回転させることにより、接点ユニット１の係止突部が操作部１０１のロック溝１２１に嵌り込んで、接点ユニット１が操作部１０１の軸方向に固定（ロック）されるとともに、ロック部材１２の係止爪１２ａがロック凹部１２２に嵌り込んでロック部材１２の回転つまり接点ユニット１の回転が規制される。
【００２５】
次に、接点ユニット１の各部を詳しく説明する。
【００２６】
−固定金具・端子等−
この例の接点ユニット１においては、図１及び図２、図６〜図１２に示すように、Ａ接点用の固定金具５、Ｂ接点用の固定金具６、ランプ端子金具７、及び、接点兼用端子金具８を使用する。
【００２７】
Ａ接点用の固定金具５は、図９及び図１０に示すように、固定接点５１を保持する横片５２、ねじ孔（端子ねじ用）を有する端子５３、これら端子５３と横片５２とを連結する縦片５４及び係止片５５が一体形成された部材である。
【００２８】
Ｂ接点用の固定金具６も、同様に、固定接点６１を保持する横片６２、ねじ孔（端子ねじ用）を有する端子６３、これら端子６３と横片６２とを連結する縦片６４及び係止片（図示せず）が一体形成された部材である（図８参照）。なお、Ａ接点用の固定金具５とＢ接点用の固定金具６とは、固定接点５１，６１の上下の向きと縦片５４，６４の長さが異なるが、その他の部分は基本的に同じ構造である。
【００２９】
ランプ端子金具７は、図９及び図１０に示すように、ねじ孔（端子ねじ用）を有する端子７１、接触片７２及び係止片７３が一体形成された部材である。ランプ端子金具７の接触片７２は、後述するベース２の挿通孔２２２に挿入することにより、先端部が照光ユニット３のリード３２に対向する位置に配置され（図１１）、その接触片７２とリード３２との間に導電性材料製の接触ばね９を挟み込むことにより、ランプ端子金具７とリード３２とが電気的に接続される。
【００３０】
接点兼用端子金具８は、Ａ接点用の固定金具５に対し、端子５３をフラット片８３にした点及び縦片８４の中央部に接触片８６を一体形成した点が相違し、それ以外の構成つまり固定接点８１を保持する横片８２、縦片８４及び係止片８５の各構成はＡ接点用の固定金具５と同じ構造である。
【００３１】
接点兼用端子金具８の接触片８６は、後述するベース２の挿通孔２１６に挿入することにより、先端部が照光ユニット３の一方のリード３２に対向する位置に配置され（図１２）、その接触片８６とリード３２との間に導電性材料製の接触ばね９を挟み込むことにより、接点兼用端子金具８とリード３２とが電気的に接続される。
【００３２】
なお、Ａ接点用の固定金具５、Ｂ接点用の固定金具６、及び、ランプ端子金具７については、それぞれ対称形状の一対のものを用意しておく。また、接点兼用端子金具８については、Ｂ接点用の固定金具６に対応する構造のものを用意しておいてもよい。
【００３３】
−接点ユニットの構造−
接点ユニット１の構造を図３〜図１２を参照しながら説明する。
【００３４】
この例の接点ユニット１において、照光ユニット３はベース２の中央部に保持されている。照光ユニット３の略半分は接点ユニット１の前方側に突出しており、接点ユニット１を操作部１０１に連結・固定した状態で、ランプ３１の収納部分が操作部１０１の内部に臨むようになっている。また、照光ユニット３のランプ３１からの一対のリード３２，３２は、ベース２内の中央部で、後述する挿通孔２２２，２２２及び挿通孔２１６と略等しい高さレベルに配置されている。
【００３５】
接点部アクチュエータ４０は、ベース２に対して前後方向に移動自在に設けられており、操作部１０１の操作による操作部アクチュエータ１０２の前進／後退に応じて前後移動して、後述するＡ接点またはＢ接点の開閉を行うように構成されている。なお、接点部アクチュエータ４０の先端部には、操作部アクチュエータ１０２が当接するリング４２が固着されている。
【００３６】
接点部アクチュエータ４０には、回転対称となる４箇所に可動接点保持部４１が設けられている。その各可動接点保持部４１は、装着する可動接点（橋絡接点）４の向きと、接点ばね４３の挿入位置を変えることにより、Ａ接点用の可動接点（図６、図７参照）と、Ｂ接点用の可動接点（図８参照）のいずれか一方を選択することが可能な構造となっている。
【００３７】
ベース２には、接点部アクチュエータ４０の４つの可動接点保持部４１に対応する位置（ベース２の４方の部位）に、それぞれ固定金具保持部２１が設けられている。固定金具保持部２１は、図８〜図１０に示すように、Ａ接点用の固定接点５１を有する固定金具５及びＢ接点用の固定接点６１を有する固定金具６の双方を装着することが可能な構造となっている。
【００３８】
具体的には、固定金具保持部２１は、Ａ接点用の固定金具５の縦片５４及びＢ接点用の固定金具６の縦片６４の双方を嵌め込むことが可能な嵌合溝２１１と、この嵌合溝２１１の端部に設けられ、Ｂ接点用の固定金具６の横片６２を位置決めするためのＢ接点用凹部２１３と、嵌合溝２１１の略中央部に設けられ、Ａ接点用の固定金具５の横片５２を位置決めするためのＡ接点用凹部２１２と、各固定金具５，６の端子５３，６３を嵌め込むための端子挿入部２１４とを備えている。また、固定金具保持部２１の近傍には、各固定金具５，６の係止片５５，６５を係止する係止爪２１５が設けられている。
【００３９】
ベース２の４方の部位（固定金具保持部２１の配置部位）のうち、１つの部位には、図９〜図１２に示すように、一対の固定金具保持部２１，２１のうち、一方の固定金具保持部２１（図中右側）に、ベース２の内部に向けて横方向に延びる挿通孔２１６が設けられている。また、この部位の固定金具保持部２１の両側にはそれぞれ端子金具保持部２２，２２が設けられている。
【００４０】
端子金具保持部２２は、ランプ端子金具７の端子７１を嵌め込むための端子挿入部２２１と、接触片７２を差し込むことが可能な挿通孔２２２と、係止片７３を係止する係止部２２３とを備えている。端子金具保持部２２の挿通孔２２２はベース２の内部に向けて横方向に延びている。
【００４１】
そして、この実施形態の接点ユニット１においては、ベース２に装着する金具の組み合わせを選択することにより、単独照光パターン及び連動照光パターンの双方の照光パターンを設定することができる。その具体的な例を以下に説明する。
【００４２】
−単独照光パターン−
単独照光パターンの場合、図９（ａ），（ｂ）及び図１１（ａ），（ｂ）に示すように、一対の固定金具（Ａ接点用）５，５を使用し、それら固定金具５，５をそれぞれベース２の一対の固定金具保持部２１，２１に装着する。また、一対のランプ端子金具７，７及び導電性材料製の接触ばね９，９を使用し、それらランプ端子金具７，７をそれぞれベース２の一対の端子金具保持部２２に、各ランプ端子金具７の接触片７２を挿通孔２２２に挿入しながら装着するとともに、図１１（ｂ）に示すように、各接触片７２，７２の先端部と照光ユニット３の各リード３２，３２との間にそれぞれ接触ばね９を挟み込むことにより、一対のランプ端子金具７，７と一対のリード３２，３２とをそれぞれ電気的に接続する。
【００４３】
このような組み合わせの金具装着を行うことにより、図１３に示すように、一対の固定金具５，５の各接点５１，５１と接点部アクチュエータ４０の可動接点４とによってＡ接点が構成されるとともに、このＡ接点の動作とは関係なく、ランプ端子金具７，７を利用した外部入力により照光ユニット３を点灯することが可能になる。
【００４４】
−連動照光パターン−
連動照光パターンの場合、図１０（ａ），（ｂ）及び図１２（ａ），（ｂ）に示すように、固定金具（Ａ接点用）５、ランプ端子金具７及び接点兼用端子金具８をそれぞれ１個ずつ使用し、固定金具５を一対の固定金具保持部２１，２１の一方の固定金具保持部２１（図中左側：挿通孔のない保持部）に装着する。他方の固定金具保持部２１（図中右側）には、接点兼用端子金具８をその接触片８６をベース２の挿通孔２１６に挿入しながら装着するとともに、図１２（ｂ）に示すように、接触片８６の先端部と照光ユニット３の一方のリード３２との間に接触ばね９を挟み込むことにより、接点兼用端子金具８の接触片８６と一方のリード３２とを電気的に接続する。
【００４５】
さらに、ランプ端子金具７を、一対の端子金具保持部２２，２２の一方の金具保持部２２（図中左側）に、その接触片７２をベース２の挿通孔２２２に挿入しながら装着するとともに、図１２（ｂ）に示すように、接触片７２の先端部と照光ユニット３の他方のリード３２との間に接触ばね９を挟み込むことにより、ランプ端子金具７と照光ユニット３の他方のリード３２とを電気的に接続する。
【００４６】
このような組み合わせの金具装着を行うことにより、図１４に示すように、一方の固定金具保持部２１に装着した固定金具５の固定接点５１及び他方の固定金具保持部２１に装着した接点兼用端子金具８の固定接点８１と可動接点４とによってＡ接点が構成されるとともに、そのＡ接点が照光ユニット３の回路系に直列に組み込まれることになる。従って、Ａ接点の開閉動作に応じて照光ユニット３のランプ３１が点灯／消灯するようになる。
【００４７】
また、本実施形態の接点ユニットでは、ベースの１つの固定金具保持部に、Ａ接点用の固定金具及びＢ接点用の固定金具の双方を装着できるようように構成しているので、１つのベースで多種類の接点構成つまりＡ接点とＢ接点との多種の組み合わせを簡単に実現することができる。
【００４８】
なお、以上の照光パターンでは、Ａ接点用の固定金具５及びＡ接点用の接点兼用端子金具８を用いた例を示したが、これに限られることなく、Ｂ接点用の固定金具及びＢ接点用の接点兼用端子金具を用いて単独照光パターンまたは連動照光パターンを設定するようにしてもよい。
【００４９】
また、本発明は、Ａ接点やＢ接点を有する接点ユニットに限られることなく、Ｃ接点を有する接点ユニットにおいて、単独照光パターン及び連動照光パターンの双方の照光パターンを設定することも可能である。その具体的な例を図１５及び図１６を参照しながら以下に説明する。
【００５０】
まず、この例の接点ユニットに適用するＣ接点は、図１５に示すように、可動コモン接点３１１、常開接点（ＮＯ接点）３２１及び常閉接点（ＮＣ接点）３３１によって構成されている。この構造のＣ接点では、可動コモン接点３１１が常時は常閉接点３３１に接触しており、前記した操作部１０１の操作により、可動コモン接点３１１が操作部アクチュエータ１０２（前進）にて押されて接続接点が常開接点３２１に切り換わる。なお、操作部アクチュエータ１０２が後退したときには、可動コモン接点３１１は接点ばね（図示せず）の弾性力によって常閉接点３３１に接触する。
【００５１】
この例の接点ユニットにおいては、可動コモン接点３１１を有するコモン端子金具３０１、常開接点３２１を有する常開接点固定金具３０２、常閉接点３３１を有する常閉接点固定金具３０３、ランプ端子金具３０４、及び、後述する接点兼用端子金具を使用する。
【００５２】
常開接点固定金具３０２及び常閉接点固定金具３０３は、図示はしないが、ベースに設けられた２つの固定金具保持部にそれぞれ着脱自在に装着することができる。また、コモン端子金具３０１はベースに固定的もしくは着脱自在に設けられている。
【００５３】
ランプ端子金具３０４は、前記した図９のものと同じ構造で接触片３４２等が一体形成されており、図示はしないが、ベースに設けられた一対の端子金具保持部に着脱自在に装着することが可能であり、その装着状態で接触片３４２が前記したベースに設けられた挿通孔に挿入される構造となっており、その挿入を行った接触片３４２を照光ユニット３のリード３２に接触ばね９を介して電気的に接続することができる。
【００５４】
接点兼用端子金具としては、常開接点３５１を有する常開接点兼用端子金具３０５及び常閉接点３６１を有する常閉接点兼用端子金具３０６を使用する。これら常開接点兼用端子金具３０５及び常閉接点兼用端子金具３０６には、それぞれ前記した図１０の接点兼用端子金具と同様な接触片３５２、３６２が一体形成されている。
【００５５】
常開接点兼用端子金具３０５は、前記したベースに設けた２つの固定金具保持部うち、一方の固定金具保持部（常開接点固定金具３０２の保持部）に着脱自在に装着することが可能である。また、常閉接点兼用端子金具３０６は、他方の固定金具保持部（常閉接点固定金具３０３の保持部）に着脱自在に装着することが可能である。そして、これら常開接点兼用端子金具３０５及び常閉接点兼用端子金具３０６を各固定金具装着部に装着した状態で、各接点兼用端子金具の接触片３５２，３６２が、前記したベースに設けられた挿通孔に挿入される構造となっており、その挿入を行った各接触片３５２，３６２を照光ユニット３のリード３２に接触ばね９を介して電気的に接続することができる。
【００５６】
次に、この例の接点ユニットにおける単独照光パターンと連動照光パターンについて説明する。
【００５７】
−単独照光パターン
単独照光パターンの場合、図１５に示すように、常開接点固定金具３０２及び常閉接点固定金具３０３を使用し、それら固定金具３０２，３０３をそれぞれ前記したベースの固定金具保持部に装着する。また、一対のランプ端子金具３０４，３０４及び導電性材料製の接触ばね９，９（図１参照）を使用し、それらランプ端子金具３０４，３０４をそれぞれ前記したベースの一対の端子金具保持部に、各ランプ端子金具３０４の接触片３４２を前記したベースの挿通孔に挿入しながら装着するとともに、各接触片３４２，３４２の先端部と照光ユニット３の各リード３２，３２との間にそれぞれ接触ばね９を挟み込むことにより、一対のランプ端子金具３０４，３０４と一対のリード３２，３２とをそれぞれ電気的に接続する。
【００５８】
このような組み合わせの金具装着を行うことにより、常開接点固定金具３０２の常開接点３２１及び常閉接点固定金具３０３の常閉接点３３１と可動コモン接点３１１とによってＣ接点が構成されるとともに、このＣ接点の動作とは関係なく、ランプ端子金具３０４，３０４を利用した外部入力により照光ユニット３を点灯することが可能になる。
【００５９】
−連動照光パターン−
（１）連動照光パターン（ＮＯ利用）の場合、図１６（ａ）に示すように、常開接点兼用端子金具３０５、常閉接点固定金具３０３及びランプ端子金具３０４をそれぞれ１個ずつ使用し、常開接点兼用端子金具３０５を前記したベースの２つの固定金具保持部の一方に、この常開接点兼用端子金具３０５の接触片３５２を前記したベースの挿通孔に挿入しながら装着するとともに、その接触片３５２の先端部と照光ユニット３の一方のリード３２との間に接触ばね９を挟み込むことにより、常開接点兼用端子金具３０５の接触片３５２と一方のリード３２とを電気的に接続する。また、他方の固定金具保持部には常閉接点固定金具３０３を装着する。
【００６０】
さらに、ランプ端子金具３０４を、一対の端子金具保持部の一方に、このランプ端子金具３０４の接触片３４２を前記したベースの挿通孔に挿入しながら装着するとともに、その接触片３４２の先端部と照光ユニット３の他方のリード３２との間に接触ばね９を挟み込むことにより、ランプ端子金具３０４と照光ユニット３の他方のリード３２とを電気的に接続する。
【００６１】
このような組み合わせの金具装着を行うことにより、一方の固定金具保持部に装着した常開接点兼用端子金具３０５の常開接点３５１及び他方の固定金具保持部に装着した常閉接点固定金具３０３の常閉接点３３１と可動コモン接点３１１とによってＣ接点が構成されるとともに、そのＣ接点が照光ユニット３の回路系に直列に組み込まれることになる。従って、Ｃ接点の開閉動作に応じて照光ユニット３のランプ３１が点灯／消灯するようになる。
【００６２】
（２）連動照光パターン（ＮＣ利用）の場合、図１６（ｂ）に示すように、常開接点固定金具３０２、常閉接点兼用端子金具３０６及びランプ端子金具３０４をそれぞれ１個ずつ使用し、常開接点固定金具３０２を、前記したベースの２つの固定金具保持部の一方に装着する。また、他方の固定金具保持部には、常閉接点兼用端子金具３０６を、この常閉接点兼用端子金具３０６の接触片３６２を前記したベースの挿通孔に挿入しながら装着するとともに、その接触片３６２の先端部と照光ユニット３の一方のリード３２との間に接触ばね９を挟み込むことにより、常閉接点兼用端子金具３０６の接触片３６２と一方のリード３２とを電気的に接続する。
【００６３】
さらに、ランプ端子金具３０４を、一対の端子金具保持部の一方に、このランプ端子金具３０４の接触片３４２を前記したベースの挿通孔に挿入しながら装着するとともに、その接触片３４２の先端部と照光ユニット３の他方のリード３２との間に接触ばね９を挟み込むことにより、ランプ端子金具３０４と照光ユニット３の他方のリード３２とを電気的に接続する。
【００６４】
このような組み合わせの金具装着を行うことにより、一方の固定金具保持部に装着した常開接点固定金具３０２の常開接点３２１及び他方の固定金具保持部に装着した常閉接点兼用端子金具３０６の常閉接点３６１と可動コモン接点３１１とによってＣ接点が構成されるとともに、そのＣ接点が照光ユニット３の回路系に直列に組み込まれることになる。従って、Ｃ接点の開閉動作に応じて照光ユニット３のランプ３１が点灯／消灯するようになる。
【００６５】
ここで、本発明は、非常停止用として用いられるプッシュロックリターンリセット式押ボタンスイッチのほか、例えばセレクタスイッチなどの各種の操作スイッチにも適用可能である。また、操作スイッチの形態も特に限定されず、一体型もしくは分離型の操作スイッチのいずれにも適用可能である。
【産業上の利用可能性】
【００６６】
本発明の接点ユニットは、押ボタンスイッチ、非常停止スイッチ、セレクタスイッチなどの照光式の操作スイッチにおいて、単独照光パターンと連動照光パターンとを設定するのに有効に利用できる。
【図面の簡単な説明】
【００６７】
【図１】本発明の接点ユニットを適用した非常停止スイッチ（単独照光）の分解斜視図である。
【図２】本発明の接点ユニットを適用した非常停止スイッチ（連動照光）の分解斜視図である。
【図３】本発明の接点ユニットの実施形態の正面図（ａ）及び（ｃ）と背面図（ｂ）及び（ｄ）を併記して示す図である。
【図４】本発明の接点ユニットの実施形態（単独照光）の中央縦断面図である。
【図５】本発明の接点ユニットの実施形態（連動照光）の中央縦断面図である。
【図６】図３（ａ）のＸ１−Ｘ１断面図である。
【図７】図３（ｃ）のＸ２−Ｘ２断面図である。
【図８】図３（ａ）のＸ３−Ｘ３断面図である。
【図９】本発明の接点ユニットの実施形態に用いるベース、固定金具及びランプ端子金具の斜視図である。
【図１０】本発明の接点ユニットの実施形態に用いるベース、固定金具、ランプ端子金具及び接点兼用端子金具の斜視図である。
【図１１】図４のＹ１−Ｙ１断面図である。
【図１２】図５のＹ２−Ｙ２断面図である。
【図１３】単独照光パターンの接続形態の一例を模式的に示す図である。
【図１４】連動照光パターンの接続形態の一例を模式的に示す図である。
【図１５】単独照光パターンの接続形態の他の例を模式的に示す図である。
【図１６】連動照光パターンの接続形態の他の例を模式的に示す図である。
【符号の説明】
【００６８】
１  接点ユニット
２  ベース
２１  固定金具保持部
２１１  嵌合溝
２１２  Ａ接点用凹部
２１３  Ｂ接点用凹部
２１４  端子挿入部
２１５  係止爪
２１６  挿通孔
２２  端子金具保持部
２２１  端子挿入部
２２２  挿通孔
２２３  係止部
３  照光ユニット
３１  ランプ
３２  リード
４  可動接点（橋絡接点）
４０  接点部アクチュエータ
４１  可動接点保持部
４２  リング
４３  復帰ばね
５  固定金具（Ａ接点用）
５１  固定接点
５２  横片
５３  端子
５４  縦片
５５  係止片
６  固定金具（Ｂ接点用）
６１  固定接点
６２  横片
６３  端子
６４  縦片
６５  係止片
７  ランプ端子金具
７１  端子
７２  接触片
７３  係止片
８  接点兼用端子金具
８１  固定接点
８２  横片
８３  フラット片
８４  縦片
８５  係止片
８６  接触片
９  接触ばね（接続部材）
１０  連結部
１１  円筒ケース
１２  ロック部材
１３  後カバー
３０１  コモン端子金具
３１１  可動コモン接点
３０２  常開接点固定金具
３２１  常開接点
３０３  常閉接点固定金具
３３１  常閉接点
３０４  ランプ端子金具
３４２  接触片
３０５  常開接点兼用端子金具
３５１  常開接点
３５２  接触片
３０６  常閉接点兼用端子金具
３６１  常閉接点
３６２  接触片
【図１】
2005149746.tif 000003
【図２】
2005149746.tif 000004
【図３】
2005149746.tif 000005
【図４】
2005149746.tif 000006
【図５】
2005149746.tif 000007
【図６】
2005149746.tif 000008
【図７】
2005149746.tif 000009
【図８】
2005149746.tif 000010
【図９】
2005149746.tif 000011
【図１０】
2005149746.tif 000012
【図１１】
2005149746.tif 000013
【図１２】
2005149746.tif 000014
【図１３】
2005149746.tif 000015
【図１４】
2005149746.tif 000016
【図１５】
2005149746.tif 000017
【図１６】
2005149746.tif 000018